(57)【要約】【課題】吸塵ファンを駆動する部品点数が減らして作業負担を軽減できるコンバインを提供する。【解決手段】刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、フィーダハウス（３Ｄ）の枠体（１０）の一側の側壁に沿って、エンジンの出力回転をオーガ装置（３Ｃ）に伝動するチェン（２０，６３）を設け、枠体（１０）の前後方向の中間部に、吸塵ファン（４０）を支持する左右方向に延在する回転軸（１３）を設け、枠体（１０）の一側の側壁から延在した回転軸（１３）の部位に、チェン（２０，６３）を巻回すスプロケット（１４，６２）を支持した。【選択図】図４
2020120590.tif 000002
【特許請求の範囲】
【請求項１】
機体フレーム（１）の前側に圃場の穀稈を収穫する刈取前処理装置（３）を設け、該刈取前処理装置（３）の後方左側に収穫された穀稈の脱穀を行う脱穀装置（４）を設け、前記刈取前処理装置（３）の後方右側に操縦者が搭乗する操縦部（５）を設け、該操縦部（５）の下方にエンジンを搭載するエンジンルーム（６）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、
前記フィーダハウス（３Ｄ）の枠体（１０）の一側の側壁に沿って、前記エンジンの出力回転をオーガ装置（３Ｃ）に伝動するチェン（２０，６３）を設け、
前記枠体（１０）の前後方向の中間部に、吸塵ファン（４０）を支持する左右方向に延在する回転軸（１３）を設け、
前記枠体（１０）の一側の側壁から延在した回転軸（１３）の部位に、前記チェン（２０，６３）を巻回すスプロケット（１４，６２）を支持したことを特徴とするコンバイン。
【請求項２】
前記枠体（１０）の一側の側壁から延在した回転軸（１３）の部位に、前記チェン（２０，６３）の張力を所定の張力に調整するテンションアーム（１５）のアーム（１５Ａ）の基部を回転自在に支持し、
該アーム（１５Ａ）の上部に、前記チェン（２０，６３）の張力を緊張させる方向にテンションアーム（１５）を回動させる付勢手段（１６）を連結した請求項１記載のコンバイン。
【請求項３】
前記チェン（２０，６３）を外側から覆う外側カバー（２１）を設け、
該外側カバー（２１）の下部を開放して、前記外側カバー（２１）の側壁を外側下がり傾斜に形成した請求項１又は２記載のコンバイン。
【請求項４】
前記枠体（１０）の左壁に沿ってチェン（２０）を設け、
前記枠体（１０）の右壁から延在した回転軸（１３）の部位に、前記吸塵ファン（４０）を支持し、前記枠体（１０）の左壁から延在した回転軸（１３）の部位に、前記スプロケット（１４）し、
前記枠体（１０）の左壁における吸塵ファン（４０）と対向する部位に排塵口（５２）を形成し、
機体側面視において、前記吸塵ファン（４０）の回転軌跡がエンジンルーム（６）に重なる請求項１〜３のいずれか１項に記載のコンバイン。
【請求項５】
機体側面視において、前記刈取前処理装置（３）の下降時には、前記吸塵ファン（４０）を支持する回転軸（１３）がエンジンルーム（６）に重なり、前記刈取前処理装置（３）の上昇時には、前記吸塵ファン（４０）を支持する回転軸（１３）が操縦部（６）に重なる請求項４記載のコンバイン。
【請求項６】
前記枠体（１０）の後部には、前記エンジンの出力回転が伝動される後スプロケット（２３）を支持する左右方向に延在する後回転軸（１１）が設けられ、
前記枠体（１０）の前部には、前記後スプロケット（２３）の回転が伝動される前スプロケット（２７）を支持する左右方向に延在する前回転軸（２５）が設けられ、
機体側面視の上下方向において、前記回転軸（１３）を、前記後回転軸（１１）と前回転軸（２５）の中心を結ぶ仮想線（Ｌ）よりも上側に設けた請求項４又は５記載のコンバイン。
【請求項７】
機体側面視の前後方向において、前記回転軸（１３）を、前記後回転軸（１１）と前回転軸（２５）の中心よりも前側に偏移させて設けた請求項４〜６のいずれか１項に記載のコンバイン。
【請求項８】
前記排塵口（５２）の外周部を、前記枠体（１０）の内側に向かって所定の角度折り曲げた飛散防止部（５３）を形成した請求項４〜７のいずれか１項に記載のコンバイン。
【発明の詳細な説明】
【技術分野】
【０００１】
本発明は、刈取前処理装置を備えたコンバインに関するものである。
【背景技術】
【０００２】
従来、刈取前処理装置のオーガ装置内で巻き上がる塵埃を集塵すると共に、フィーダハウス内に滞留する塵埃を外部に排出するために、フィーダハウスの枠体の右壁に電動モータで駆動される吸塵ファンを設け、フィーダハウスの枠体の左壁に吸塵口を技術が知られている。（特許文献１）
【先行技術文献】
【特許文献】
【０００３】
【特許文献１】特開２０１２−１１５１６１号公報
【発明の概要】
【発明が解決しようとする課題】
【０００４】
しかし、特許文献１に開示された技術では、吸塵ファンを駆動する電動モータを設ける必要があるために、部品点数が多く、電動モータの配線処理の作業負担が増加する恐れがあった。また、オーガ装置内で巻き上がる塵埃を集塵して操縦部の操作環境を良好に維持することはできるが、操縦部の下方に搭載されたエンジンによって加熱された空気によって操縦部の温度が上昇して操作環境を悪化させる恐れがあった。
【０００５】
そこで、本発明の主たる課題は、吸塵ファンを駆動する部品点数が減らして作業負担を軽減できるコンバインを提供することにある。また、本発明の次なる課題は、刈取前処理装置のオーガ装置内で巻き上がる塵埃を効率良く集塵すると共に、エンジンによって加熱された空気をフィーダハウスを介して外部に排風することができるコンバインを提供することにある。
【課題を解決するための手段】
【０００６】
上記課題を解決した本発明は次記のとおりである。
請求項１に係る発明は、機体フレーム（１）の前側に圃場の穀稈を収穫する刈取前処理装置（３）を設け、該刈取前処理装置（３）の後方左側に収穫された穀稈の脱穀を行う脱穀装置（４）を設け、前記刈取前処理装置（３）の後方右側に操縦者が搭乗する操縦部（５）を設け、該操縦部（５）の下方にエンジンを搭載するエンジンルーム（６）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、前記フィーダハウス（３Ｄ）の枠体（１０）の一側の側壁に沿って、前記エンジンの出力回転をオーガ装置（３Ｃ）に伝動するチェン（２０，６３）を設け、前記枠体（１０）の前後方向の中間部に、吸塵ファン（４０）を支持する左右方向に延在する回転軸（１３）を設け、前記枠体（１０）の一側の側壁から延在した回転軸（１３）の部位に、前記チェン（２０，６３）を巻回すスプロケット（１４，６２）を支持したことを特徴とするコンバインである。
【０００７】
請求項２に係る発明は、前記枠体（１０）の一側の側壁から延在した回転軸（１３）の部位に、前記チェン（２０，６３）の張力を所定の張力に調整するテンションアーム（１５）のアーム（１５Ａ）の基部を回転自在に支持し、該アーム（１５Ａ）の上部に、前記チェン（２０，６３）の張力を緊張させる方向にテンションアーム（１５）を回動させる付勢手段（１６）を連結した請求項１記載のコンバインである。
【０００８】
請求項３に係る発明は、前記チェン（２０，６３）を外側から覆う外側カバー（２１）を設け、該外側カバー（２１）の下部を開放して、前記外側カバー（２１）の側壁を外側下がり傾斜に形成した請求項１又は２記載のコンバインである。
【０００９】
請求項４に係る発明は、前記枠体（１０）の左壁に沿ってチェン（２０）を設け、前記枠体（１０）の右壁から延在した回転軸（１３）の部位に、前記吸塵ファン（４０）を支持し、前記枠体（１０）の左壁から延在した回転軸（１３）の部位に、前記スプロケット（１４）し、前記枠体（１０）の左壁における吸塵ファン（４０）と対向する部位に排塵口（５２）を形成し、機体側面視において、前記吸塵ファン（４０）の回転軌跡がエンジンルーム（６）に重なる請求項１〜３のいずれか１項に記載のコンバインである。  
【００１０】
請求項５に係る発明は、機体側面視において、前記刈取前処理装置（３）の下降時には、前記吸塵ファン（４０）を支持する回転軸（１３）がエンジンルーム（６）に重なり、前記刈取前処理装置（３）の上昇時には、前記吸塵ファン（４０）を支持する回転軸（１３）が操縦部（６）に重なる請求項４記載のコンバインである。  
【００１１】
請求項６に係る発明は、前記枠体（１０）の後部には、前記エンジンの出力回転が伝動される後スプロケット（２３）を支持する左右方向に延在する後回転軸（１１）が設けられ、前記枠体（１０）の前部には、前記後スプロケット（２３）の回転が伝動される前スプロケット（２７）を支持する左右方向に延在する前回転軸（２５）が設けられ、機体側面視の上下方向において、前記回転軸（１３）を、前記後回転軸（１１）と前回転軸（２５）の中心を結ぶ仮想線（Ｌ）よりも上側に設けた請求項４又は５記載のコンバインである。
【００１２】
請求項７に係る発明は、機体側面視の前後方向において、前記回転軸（１３）を、前記後回転軸（１１）と前回転軸（２５）の中心よりも前側に偏移させて設けた請求項４〜６のいずれか１項に記載のコンバインである。
【００１３】
請求項８に係る発明は、前記排塵口（５２）の外周部を、前記枠体（１０）の内側に向かって所定の角度折り曲げた飛散防止部（５３）を形成した請求項４〜７のいずれか１項に記載のコンバインである。  
【発明の効果】
【００１４】
請求項１記載の発明によれば、エンジンの出力回転をオーガ装置（３Ｃ）に伝動するチェン（２０，６３）によって回転軸（１３）に支持された吸塵ファン（４０）を駆動するので、吸塵ファン（４０）を駆動する部品点数を減らして作業負担を軽減することができる。
【００１５】
請求項２記載の発明によれば、請求項１記載の発明の効果に加えて、チェン（２０，６３）の張力が所定の張力に維持することができるので、吸塵ファン（４０）の回転数を所定の回転数に維持することができる。
【００１６】
請求項３記載の発明によれば、請求項１又は２記載の発明の効果に加えて、機体から外部に排出される塵埃が未刈側の穀稈に付着するのを抑制することができる。
【００１７】
請求項４記載の発明によれば、請求項１〜３のいずれか１項に記載の発明の効果に加えて、掻込装置（３Ａ）で掻込まれた穀稈を一側に寄せ集めるオーガ装置（３Ｃ）で巻き上がった塵埃を集塵ファン（４０）で効率的に集塵してフィーダハウス（３Ｄ）を介して外部に排出でき、また、エンジンで加熱されたエンジンルーム（６）内の空気を集塵ファン（４０）で排風できるので、操縦部（５）の操作環境を良好に維持することができる。
【００１８】
請求項５記載の発明によれば、請求項４記載の発明の効果に加えて、掻込装置（３Ａ）で掻込まれた穀稈を一側に寄せ集めるオーガ装置（３Ｃ）で巻き上がった塵埃を集塵ファン（４０）で効率的に集塵してフィーダハウス（３Ｄ）を介して外部により排出でき、また、エンジンで加熱されたエンジンルーム（６）内の空気を集塵ファン（４０）で排風できるので、操縦部（５）の操作環境をより良好に維持することができる。
【００１９】
請求項６記載の発明によれば、請求項４又は５記載の発明の効果に加えて、オーガ装置（３Ｃ）で巻き上がった塵埃を集塵ファン（４０）でより効率的に集塵してフィーダハウス（３Ｄ）を介して外部に排出できると共に、フィーダハウス（３Ｄ）内に落下した穀粒の外部への排出を防止することができる。
【００２０】
請求項７記載の発明によれば、請求項４〜６のいずれか１項に記載の発明の効果に加えて、掻込装置（３Ａ）で掻込まれた穀稈から巻き上がった塵埃を集塵ファン（４０）で効率的に集塵してフィーダハウス（３Ｄ）を介して外部に排出できる。
【００２１】
請求項８記載の発明によれば、請求項４〜７のいずれか１項に記載の発明の効果に加えて、フィーダハウス（３Ｄ）内に落下した穀粒の外部への排出をより防止することができる。
【図面の簡単な説明】
【００２２】
【図１】コンバインの平面図である。
【図２】コンバインの左側面図である。
【図３】コンバインの正面図である。
【図４】第１実施形態のフィーダハウスの左側面図である。
【図５】同フィーダハウスの左右方向に縦方向に断面した正面図である。
【図６】同フィーダハウスの右側面図である。
【図７】同フィーダハウスの前後方向に縦方向に断面した左側面図である。
【図８】同フィーダハウスの左右方向に縦方向に断面した正面図であり、ファンとスラットの関係の説明図である。
【図９】同フィーダハウスの左右方向に縦方向に断面した正面図であり、ファンとチェンの関係の説明図である。
【図１０】同フィーダハウスの左側面図であり、排塵口の説明図である。
【図１１】同フィーダハウスを左右方向に縦方向に断面した正面図であり、排塵口のかえり部の説明図である。
【図１２】同フィーダハウスの左側面図であり、他の排塵口の説明図である。
【図１３】テンションアームの正面図である。
【図１４】他のテンションアームの正面図である。
【図１５】第２実施形態のフィーダハウスの平面図である。
【図１６】フィーダハウスを下降させた状態の左側面図である。
【図１７】第３実施形態のフィーダハウスの左側面図である。
【図１８】同フィーダハウスの左右方向に縦方向に断面した正面図である。
【図１９】第３実施形態の他のフィーダハウスの左側面図である。
【図２０】同フィーダハウスの左右方向に縦方向に断面した正面図である。
【発明を実施するための形態】
【００２３】
図１〜３に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００２４】
操縦部５の下部には、エンジンを内装するエンジンルーム６が設けられ、操縦部５の後側には、脱穀・選別処理された穀粒を貯留するグレンタンク７が設けられ、グレンタンク７の後側には、穀粒を外部に排出する排出筒８が設けられている。排出筒８は、グレンタンク７の下部に連通され上下方向に延在する縦排出筒と、縦排出筒の上部に連通され前後方向に延在する横排出筒から形成されている。
【００２５】
刈取前処理装置３は、圃場の穀稈を起立させながら掻込んで後方に搬送する掻込装置３Ａと、後方に搬送された穀稈の株元を切断する刈刃装置３Ｂと、後方に搬送された穀稈を左側に寄せ集めるオーガ装置３Ｃと、寄せ集められた穀稈を脱穀装置４に搬送するフィーダハウス３Ｄから構成されている。
【００２６】
図４〜６に示すように、フィーダハウス３Ｄの枠体１０の左右壁の後部には、エンジンの出力回転が伝動される左右方向に延存する回転軸（請求項の「後回転軸」）１１が架設され、回転軸１１の左部には、第１スプロケット（図示省略）が支持されている。枠体１０の左壁の前部には、左右方向に延存する支軸１２が設けられ、支軸１２の左部には、第２スプロケット（図示省略）が回転自在に支持されている。なお、支軸１２の左部における第２スプロケットよりも左側部位には、エンジンの出力回転を掻込装置３Ａ等に伝動する第３スプロケット（図示省略）が並設されている。
【００２７】
枠体１０の左右壁の略中間部には、左右方向に延在する回転軸１３が架設されている。枠体１０の左壁よりも左側に延出した回転軸１３の左部には、スプロケット１４が支持され、枠体１０の右壁よりも右側に延出した回転軸１３の右部には、塵埃を吸引するファン４０が支持されている。また、回転軸１３は、左右方向に延在する円筒状の筒体１３Ａにベアリング１３Ｂを介して内装されている。これにより、枠体１０内を移送される穀稈が、回転軸１３に絡み付くのを防止することができる。
【００２８】
枠体１０の左壁よりも左側に延出した回転軸１３の左部におけるスプロケット１４よりも右側部位には、テンションアーム１５を形成するアーム１５Ａの基部が、回転自在に支持されている。テンションアーム１５は、アーム１５Ａと、アーム１５Ａの先端部に回転自在に支持されたスプロケット１５Ｂから形成されている。
【００２９】
アーム１５Ａの前後方向の中間部には、バネ等からなる付勢手段１６の後部が連結されている。付勢手段１６の前部は、枠体１０の左壁の上部に固定されている。テンションアーム１５は、後上がり姿勢に設けられ、付勢手段１６は、後下がり姿勢で設けられ、テンションアーム１５のアーム１５Ａと付勢手段１６とは、略９０度の交差角度をもって連結されている。
【００３０】
図１３に示すように、筒体１３Ａの左部には、テンションアーム１５のアーム１５Ａの基部が外嵌され、アーム１５Ａの基部の両側部に設けられたカラー１３Ｃによって左右方向に位置が位置決めされている。これにより、テンションアーム１５を支持する部材を別に設ける必要がなくなり部材点数を削減することができる。また、図１４に示すように、テンションアーム１５のアーム１５Ａの基部には、右壁を有する筒体状の連結体１５Ｃが形成されている。回転軸１３の左部には、テンションアーム１５の連結体１５Ｃがベアリング１３Ｄを介して外嵌され、ベアリング１３Ｄの両側部に設けられたカラー１３Ｅによって左右方向に位置が位置決めされている。これにより、テンションアーム１５の連結体１５Ｃを回転軸１３を中心として効率良く回動させることができ、チェン２０の張力変動に迅速に応答して、チェン２０の設定された張力を維持することができる。
【００３１】
図４に示すように、枠体１０の左壁における前側下部には、アイドラ１７が設けられ、枠体１０の左壁における回転軸１３よりも後側下部には、アイドラ１８とアイドラ１９が設けられている。
【００３２】
第１スプロケットと、スプロケット１５Ｂと、スプロケット１４と、第２スプロケットと、アイドラ１７と、アイドラ１８と、アイドラ１９には、チェン２０が巻回されている。
【００３３】
これにより、エンジンの出力回転を掻込装置３Ａ等に伝動するチェン２０を駆動してファン４０を回動することができ、ファン４０を回動するモータを設ける必要がなく、部品点数を削減することができる。また、チェン２０の張力は、テンションアーム１５によって適正な張力に調整され、チェン２０の左右と上下方向への蛇行もアイドラ１７〜１９によって抑制されている。
【００３４】
枠体１０の左壁には、スプロケット１４、テンションアーム１５、チェン２０等を覆う、外装カバー２１が着脱自在に設けられている。これにより、作業者がチェン２０等に接触することを防止することができる。
【００３５】
回転軸１１における枠体１０の内部に位置する部位には、回転体２２が支持され、回転体２２の外周部には、左右方向に所定の間隔を隔てて左スプロケット２３Ａと右スプロケット２３Ｂが並設されている。なお、本明細書では、左スプロケット２３Ａと右スプロケット２３Ｂを総称して後スプロケット２３と言う。
【００３６】
枠体１０の左右壁の前部には、左右方向に延在する回転軸（請求項の「前回転軸」）２５が架設され、回転軸２５における枠体１０の内部に位置する部位には、回転体２６が支持され、回転体２６の外周部には、左右方向に所定の間隔を隔てて左スプロケット２７Ａと右スプロケット２７Ｂが並設されている。
【００３７】
左スプロケット２３Ａと左スプロケット２７Ａには、左スラットチェン２８Ａが巻回され、右スプロケット２３Ｂと右スプロケット２７Ｂには、右スラットチェン２８Ｂが巻回されている。また、左スラットチェン２８Ａと右スラットチェン２８Ｂには、前後方向に所定の間隔を隔てて、略コの字状に形成されたスラット２９が架設されている。これにより、オーガ装置３Ｃからフィーダハウス３Ｄに搬送されてきた穀稈を後方に効率良く移送して脱穀装置に搬送することができる。なお、本明細書では、左スプロケット２７Ａと右スプロケット２７Ｂを総称して前スプロケット２７と言い、左スラットチェン２８Ａと右スラットチェン２８Ｂを総称してスラットチェン２８と言う。
【００３８】
図７に示すように、側面視において、回転軸１３は、回転軸１１の中心と回転軸２５の中心を結んだ仮想線Ｌ上に設けられている。これにより、籾が、枠体１０から外部に飛散するのを防止して、籾の飛散ロスを低減することができると共に、枠体１０の下部に多く堆積する粉塵を吸塵して枠体１０の外部に効率良く排出することができる。なお、籾の飛散ロスをより低減する場合には、回転軸１３を仮想線Ｌよりも上方に設け、枠体１０の下部に多く堆積する粉塵を吸塵して枠体１０の外部に効率良く排出する場合には、回転軸１３を仮想線Ｌよりも下方に設けるのが好ましい。
【００３９】
側面視において、回転軸１３は、回転軸１１と回転軸２５の前後方向の中心よりも回転軸２５側に偏移して設けられている。これにより、枠体１０における前側下部に多く堆積する粉塵を吸塵して枠体１０の外部に効率良く排出することができる。なお、枠体１０の下部に堆積する粉塵を均等に吸塵して枠体１０の外部に効率良く排出する場合には、回転軸１３を回転軸１１と回転軸２５の前後方向の中心に設け、操縦部５に浮遊する粉塵を吸塵して枠体１０の外部に効率良く排出する場合には、回転軸１３を回転軸１１と回転軸２５の前後方向の中心よりも回転軸１１側に偏移して設けるのが好ましい。
【００４０】
図８に示すように、正面視において、回転軸１３の右部に支持されたファン（請求項における「吸塵ファン」）４０の外径を、チェン２０で移動されるスラット２９の上下方向の間隔よりも大きく形成されている。これにより、スラット２９に付着した藁屑等の粉塵を除去して、枠体１０の外部に効率良く排出することができる。また、図９に示すように、正面視において、ファン４０の外径を、チェン２０の上下方向の間隔よりも小さく形成することもできる。これにより、チェン２０に給油された潤滑油の飛散を防止してチェン２０の耐久性の低下を防止することができる。
【００４１】
図８に示すように、ファン４０は、ファンカバー４１で覆われている。ファンカバー４１は、パンチングメタル等で形成されている。これにより、ファン４０を回転させてファンカバー４１の外側の空気を効率良く吸引することができる。
【００４２】
ファンカバー４１の右壁には、左右方向に延在する支軸４５が設けられ、支軸４５には、ファン４０の上部を覆う遮風板４６の後部が揺動可能に支持されている。また、遮風板４６の上部には、遮風板４６の揺動を操作する上下方向に延在する操作レバー４７が設けられている。これにより、ファン４０によって吸引される風量を容易に調整することができる。
【００４３】
枠体１０の右壁におけるファン４０と対向する部位には、ファン４０によって吸引された空気を枠体１０内に送風する排塵口５０が形成されている。排塵口５０の径は、ファン４０の径と略同一径に形成されている。これにより、ファン４０によって吸引された空気を効率良く枠体１０内に送風することができる。
【００４４】
枠体１０の左壁における排塵口５０と対向する部位には、枠体１０内の空気を外装カバー２１内に送風する排塵口５２が形成されている。排塵口５２は、種々の形状に形成することができる。例えば、図１０に示すように、回転軸１３を中心として円周方向に所定の間隔を隔てて４個の扇形状の排塵口で形成することができる。また、図１２に示すように、回転軸１３を中心として前後方向に所定の間隔を隔てて２個の矩形状の排塵口で形成することもできる。これらの場合、図１１に示すように、排塵口の外周部を枠体１０の内側に向かって折曲げた飛散防止部５３を形成するのが好ましい。これにより、籾が枠体１０の排塵口５２から外部に飛散するのを防止して、籾の飛散ロスを低減することができる。また、枠体１０の上壁には、前後方向に所定の間隔を隔てて２個の開閉自在な掃除蓋５６が設けられている。これにより、枠体１０内のチェン２８Ａ，２８Ｂに絡んだ穀稈を容易に取除くことができる。
【００４５】
図１１に示すように、外装カバー２１における排塵口４２と対向する部位には、外装カバー２１内の空気を外部に送風する排塵口５５が形成されている。排塵口５５は、排塵口５２と同様に種々の形状に形成することができる。また、正面視において、外装カバー２１の左壁を左下がり傾斜に形成して、外装カバー２１の下壁に複数の開口部を形成するのが好ましい。これにより、枠体１０から外装カバー２１内に排出された藁屑とうの粉塵の巻上げを防止して、良好な作業環境を維持することができる。
【００４６】
図１６に示すように、左側面視において、刈取前処理装置３が最も下方に移動した下降姿勢の場合には、ファン４０はエンジンルーム６に対向する位置に設けられ、刈取前処理装置３が最も上方に移動した上昇姿勢の場合には、ファン４０は操縦部５の操縦者が脚を載せるステップ板の下側に近接した位置に設けられている。これにより、ファン４０によってエンジンルーム６内のエンジンによって加熱された空気を吸引して、フィーダハウス３Ｄ内を通過させた後に、フィーダハウス３Ｄの外部に排出するので、操縦部５の温度の上昇が抑制されて操縦部５の温度上昇を防止して作業環境を向上させることができ、また、フィーダハウス３Ｄ内を移動する穀稈の湿り気を除去して脱穀装置４における脱穀効率を高めることができる。
【００４７】
次に、第２実施形態のフィーダハウス３Ｄについて説明する。なお、第１実施形態とフィーダハウス３Ｄと同一部材には同一符号を付して説明を省略する。
【００４８】
図１５に示すように、枠体１０の右壁よりも右側に延出した回転軸１１の右部には、スプロケット６１が設けられ、枠体１０の右壁よりも右側に延出した回転軸１３の右部におけるファン４０よりも右側部位には、スプロケット６２が設けられ、スプロケット６１とスプロケット６２には、チェン６３が巻回されている。なお、チェン６３の張力は、テンションアーム（図示省略）で調整され、テンションアームの姿勢、すなわち、チェン６３の張力を緊張させるテンションアームの姿勢と、チェン６３の張力を弛緩させるテンションアームの姿勢は、操縦部５に設けられたスイッチによって切換えられる。これにより、フィーダハウス３Ｄの駆動状態に関わらず、スイッチによってファン４０の回動を自在に操作することができる。なお、回転軸１１の右部には、エンジンの出力回転を、ベルトを介して回転軸１１に伝動するプーリ６０が支持されている。
【００４９】
次に、第３実施形態のフィーダハウス３Ｄについて説明する。なお、第１実施形態とフィーダハウス３Ｄと同一部材には同一符号を付して説明を省略する。
【００５０】
図１７，１８に示すように、枠体１０の右壁の右面には、ファン７０が設けられ、ファン７０の基部の右側には、ファン７０を回動させるモータ７１が取付けられ、ファン７０とモータ７１は、ファンカバー７２で覆われている。また、枠体１０の左壁の左面には、ファン７５が設けられ、ファン７５の基部の左側には、ファン７５を回動させるモータ７６が取付けられ、ファン７５とモータ７６は、ファンカバー７７で覆われている。これにより、ファン７０で吸引され枠体１０内に排風された空気を、ファン７５によって枠体１０の外側に効率良く排風することができる。なお、機体左側面視で、ファン７０とファン７５は、アイドラ１９よりも後側に設けられている。
【００５１】
ファンカバー７２を枠体１０の右壁に形成された上下方向に延在する支軸（図示省略）を中心として揺動可能に支持し、ファンカバー７７を枠体１０の左壁に形成された上下方向に延在する支軸（図示省略）を中心として揺動可能に支持することもできる。これにより、ファン７０とファン７５の排風方向を調整して、操縦部５の作業環境の向上を図ることができる。また、ファンカバー７２の上部を枠体１０の上壁よりも上側に設けることもできる。これにより、枠体１０の上壁上に付着した粉塵を効率良く除去することができる。
【００５２】
図１９，２０に示すように、ファン７５の基部の中心をファン７０の基部の中心よりも上側に設けることができる。これにより、籾が、枠体１０から外部に飛散するのを防止して、籾の飛散ロスをより低減することができる。また、ファン７５の基部の中心をファン７０の基部の中心よりも前側に設けることができる。さらに、ファン７０とファン７５の回転速度を同一速度に設定することも、ファン７５の回転速度をファン７０の回転速度よりも高速に設定することもできる。
【符号の説明】
【００５３】
１        機体フレーム
３        刈取前処理装置
３Ａ      掻込装置
３Ｂ      刈刃装置
３Ｃ      オーガ装置
３Ｄ      フィーダハウス
４        脱穀装置
５        操縦部
６        エンジンルーム
１０      枠体
１１      回転軸（後回転軸）
１３      回転軸
１４      スプロケット
１５      テンションアーム
１５Ａ    アーム
１６      付勢手段
２０      チェン
２１      外装カバー
２３      後スプロケット
２５      回転軸（前回転軸）
２７      前スプロケット
４０      ファン（吸塵ファン）
５２      排塵口
５３      飛散防止部
６２      スプロケット
６３      チェン
Ｌ        仮想線
【図１】
2020120590.tif 000003
【図２】
2020120590.tif 000004
【図３】
2020120590.tif 000005
【図４】
2020120590.tif 000006
【図５】
2020120590.tif 000007
【図６】
2020120590.tif 000008
【図７】
2020120590.tif 000009
【図８】
2020120590.tif 000010
【図９】
2020120590.tif 000011
【図１０】
2020120590.tif 000012
【図１１】
2020120590.tif 000013
【図１２】
2020120590.tif 000014
【図１３】
2020120590.tif 000015
【図１４】
2020120590.tif 000016
【図１５】
2020120590.tif 000017
【図１６】
2020120590.tif 000018
【図１７】
2020120590.tif 000019
【図１８】
2020120590.tif 000020
【図１９】
2020120590.tif 000021
【図２０】
2020120590.tif 000022